(57)【要約】【課題】  本発明は、構造が簡単で、且つゴミと水を同時に吸入できるため、水掃除時間が短縮される水掃除機能を備えた真空掃除機を提供する。【解決手段】  本発明に係る水掃除機能を備えた真空掃除機は、本体と、被掃除面と向かい合うゴミ吸入口と、被掃除面と接して回転すべくゴミ吸入口に設けられたブラシと、水を吐き出す水吐出ノズルと、を含み、ゴミ吸入口が本体と連通されるよう設けられたブラシ組立体と、ブラシ組立体の下面に設けられ、ブラシの前方および後方に被掃除面との摩擦により選択的にゴミ吸入経路を開放したり遮断する前方および後方遮断部材とを含む。【選択図】      図７
2007000602.tif 000002
【特許請求の範囲】
【請求項１】
本体と、
被掃除面と向かい合うゴミ吸入口と、前記被掃除面と接して回転すべく前記ゴミ吸入口に設けられたブラシと、水を吐き出す水吐出ノズルと、を含み、前記ゴミ吸入口が前記本体と連通されるよう設けられたブラシ組立体と、
前記ブラシ組立体の下面に前記ブラシの前方および後方に前記被掃除面との摩擦により選択的にゴミ吸入経路を開放したり遮断する前方および後方遮断部材とを含むことを特徴とする水掃除機能を備えた真空掃除機。
【請求項２】
前記前方遮断部材と前記後方遮断部材のうちいずれかが前記ゴミ吸入経路を開放すると、残り１つは前記ゴミ吸入経路を遮断することを特徴とする請求項１に記載の水掃除機能を備えた真空掃除機。
【請求項３】
前記前方遮断部材は前記ブラシ組立体が前進すれば、前記ゴミ吸入経路を開放するよう形成されたことを特徴とする請求項２に記載の水掃除機能を備えた真空掃除機。
【請求項４】
前記前方遮断部材は、前記ブラシ組立体の下面に前記ブラシの前方に前記被掃除面との摩擦により所定の角度旋回できるよう設けられ、旋回角度に応じてゴミ吸入経路を開放したり遮断するように形成されたことを特徴とする請求項１ないし３のいずれか一項に記載の水掃除機能を備えた真空掃除機。
【請求項５】
前記前方遮断部材は、
前記ブラシ組立体前方のゴミ吸入経路を遮断し、板状に形成された遮断板と、
前記遮断板の両側に形成され、前記ブラシ組立体に回転自在に組立てられた回転軸と、
前記遮断板の一面に扇形に形成され、前記扇形の円弧部が前記遮断板の先端から延びるべく形成された回転突起と、を含み、
前記扇形の円弧部が前記被掃除面と接すると、前記遮断板の先端が前記被掃除面と離隔されることを特徴とする請求項４に記載の水掃除機能を備えた真空掃除機。
【請求項６】
前記後方遮断部材は、
前記ブラシ組立体に形成された後方遮断部材の収納溝に固定される頭部と、
一面は平面であり、他面は複数の突起が一定の間隔で連続的に形成された突起面から形成され、前記ブラシ組立体の進行方向によって平面あるいは突起面の先端一部が選択的に前記被掃除面に押される遮断部とを含むことを特徴とする請求項４に記載の水掃除機能を備えた真空掃除機。
【請求項７】
前記ブラシ組立体は、前記水吐出ノズルに空気の含んだ水を吐出すためのエアーポンプを更に含むことを特徴とする請求項１または２に記載の水掃除機能を備えた真空掃除機。
【請求項８】
前記本体に設けられ、一般掃除と水掃除のいずれかを選択するモードスイッチと、前記モードスイッチが水掃除に選択されれば前記エアーポンプを選択的に動作させ前記水吐出ノズルに水が吐出されるようにするポンプスイッチを更に含むことを特徴とする請求項７に記載の水掃除機能を備えた真空掃除機。
【請求項９】
前記水吐出ノズルは、前記ブラシ組立体の前面に少なくとも１つ設けられたことを特徴とする請求項１または２に記載の水掃除機能を備えた真空掃除機。
【請求項１０】
前記ブラシ組立体の下面に前記後方遮断部材の裏側に設けられ、前記被掃除面を殺菌する紫外線ランプを更に含むことを特徴とする請求項１に記載の水掃除機能を備えた真空掃除機。
【請求項１１】
前記紫外線ランプの前面にはテープロンカバーが設けられていることを特徴とする請求項１０に記載の水掃除機能を備えた真空掃除機。
【発明の詳細な説明】
【技術分野】
【０００１】
本発明は、真空掃除機に関し、詳細には水掃除機能を備えた真空掃除機に関する。
【背景技術】
【０００２】
一般に、水掃除の機能を備えた真空掃除機は、被掃除面に水気のない状態でゴミなどの異物を吸い込んで掃除を行う一般掃除と、被掃除面、特に床、大理石などの固い表面に水をかけ被掃除面の染みなどを拭き取って水と共にゴミを吸込む水掃除とを選択的に行う掃除機のことを指す。
【０００３】
係る水掃除の機能を有する真空掃除機は、水タンクと水吐出弁および水吐出ノズルから構成され、被掃除面に水を吐出す水吐出ユニットと、被掃除面を擦って染みなどを拭き取るブラシとを含む。従って、水掃除を行う場合、真空掃除機は被掃除面に水を吐出し、ブラシで被掃除面を拭きとってから染みなどを除去し、ブラシにより除去された染みなどと共に吐出された水を吸込む。
【０００４】
しかし、一般掃除を行う場合このブラシは、ゴミなどがゴミ吸入口に吸込まれることを妨害してしまう。これを解決するために、従来にはブラシと被掃除面との間の間隔を調整した。即ち、一般掃除を行う際にはブラシを被掃除面から離隔させることでゴミなどを円滑に吸込むようにし、水掃除を行う際にはブラシが被掃除面と接して擦ることができるように構成した。従って、従来の水掃除機能を備えた真空掃除機はブラシを上下に上昇および下降させることのできる機構がさらに必要であったので、ブラシ組立体の構造がさらに複雑になる問題点を抱えた。
【０００５】
さらに、被掃除面を水掃除する場合に、先ず、ブラシが被掃除面と離隔された状態でゴミなどを吸込む一般掃除を行った後、それからブラシを下降させた状態で水をかけ被掃除面を拭き取るとった過程を行なわなければならないことから、掃除時間が一般掃除のみを行う場合に比べてほぼ２倍かかってしまう問題点も抱えている。
【０００６】
また、水掃除の完了後、水供給弁を遮断しても水供給弁と水吐出ノズルとの間に残留した水が水吐出ノズルから流れる恐れがあり、これにより真空掃除機の周りを汚してしまう不具合がある。
【発明の開示】
【発明が解決しようとする課題】
【０００７】
本発明は前述した問題点を解決するために案出されたもので、本発明の目的は、ブラシを上昇／下降させる必要がないため、構造の簡単な水掃除機能を有する真空掃除機を提供することにある。
【０００８】
また、ゴミを吸込みながらも水掃除が同時に行われるため、水掃除の際に掃除時間の短縮が図れる水掃除機能を備えた真空掃除機を提供することにある。
【課題を解決するための手段】
【０００９】
本発明の目的は、本体と、被掃除面と向かい合うゴミ吸入口と、前記被掃除面と接して回転すべく前記ゴミ吸入口に設けられたブラシと水を吐き出す水吐出ノズルと、を含み、前記ゴミ吸入口が前記本体と連通されるよう設けられたブラシ組立体と、前記ブラシ組立体の下面に前記ブラシの前方および後方に前記被掃除面との摩擦により選択的にゴミ吸入経路を開放したり遮断する前方および後方遮断部材とを含む水掃除機能を備えた真空掃除機を提供することにより達成される。
【００１０】
この時、前記前方遮断部材と前記後方遮断部材のうちいずれかが前記ゴミ吸入経路を開放すると、残り１つは前記ゴミ吸入経路を遮断することが好ましい。即ち、前記前方遮断部材は前記ブラシ組立体が前進すれば、前記ゴミ吸入経路を開放するよう形成されることが好ましい。
【００１１】
なお、前記前方遮断部材は、前記ブラシ組立体の下面に前記ブラシの前方に前記被掃除面との摩擦により所定の角度旋回できるよう設けられ、旋回角度に応じてゴミ吸入経路を開放したり遮断するように形成される。この時、前記前方遮断部材は、前記ブラシ組立体前方のゴミ吸入経路を遮断し、板状に形成された遮断板と、前記遮断板の両側に形成され、前記ブラシ組立体に回転自在に組立てられた回転軸と、前記遮断板の一面に扇形に形成され、前記扇形の円弧部が前記遮断板の先端から延びるべく形成された回転突起とを含み、前記扇形の円弧部が前記被掃除面と接すると、前記遮断板の先端が前記被掃除面と離隔されることが好ましい。
【００１２】
さらに、前記後方遮断部材は、前記ブラシ組立体に形成された後方遮断部材の収納溝に固定される頭部と、一面は平面であり、他面は複数の突起が一定の間隔で連続的に形成された突起面から形成され、前記ブラシ組立体の進行方向によって平面あるいは突起面の先端一部が選択的に前記被掃除面に押される遮断部とを含む。
【００１３】
また、前記ブラシ組立体は、前記水吐出ノズルに空気の含んだ水を吐出すためのエアーポンプを更に含む。
【００１４】
そして、前記水吐出ノズルは、前記ブラシ組立体の全面に少なくとも１つ設けられることが好ましい。
【００１５】
そして、水掃除機能を備えた真空掃除機は、前記本体に設けられ、一般掃除と水掃除のいずれかを選択するモードスイッチと、前記モードスイッチが水掃除に選択されれば前記エアーポンプを選択的に動作させ前記水吐出ノズルに水が吐出されるようにするポンプスイッチを更に含む。
【００１６】
さらに、水掃除機能を備えた真空掃除機は、前記ブラシ組立体の下面に前記後方遮断部材の裏側に設けられ、前記被掃除面を殺菌する紫外線ランプを更に含む。なお、前記紫外線ランプの前面にはテープロンカバーが設けられていることが好ましい。
【発明の効果】
【００１７】
本発明に係る水掃除機能を備えた真空掃除機によると、前方および後方遮断部材によりゴミ吸入経路を開放または遮断するので、ブラシを上昇／下降せずに済む。さらに、前述の前方および後方遮断部材も被掃除面との摩擦により動作することから別の駆動要素を必要としない。従って、本発明によると、従来の水掃除機能を備えた真空掃除機に比べてその構造が極めて簡単な水掃除機能を有する真空掃除機が提供できる。
【００１８】
また、本発明による水掃除機能を備えた真空掃除機は、ブラシで被掃除面の染みを拭き取る水掃除を行う場合にも、ゴミ吸入経路が開放されることからゴミと共に吸込むことができる。即ち、本発明による水掃除機能を備えた真空掃除機は、被掃除面に存在するゴミを取除くために、先に一般掃除を行ってから再び水掃除を行う必要がないため、従来の水掃除機能を備えた真空掃除機に比べてその時間を短縮できる。
【００１９】
さらに、本発明による水掃除機能を備えた真空掃除機は、水掃除を完了しエアーポンプを停止させた場合、エアポンプと水吐出ノズルとの間の水吐出ホスに残留した水が空気により遮断されるので、水が水吐出ノズルから流れ出ることはない。よって、本発明に係る水掃除機機能を備えた真空掃除機は、残水により真空掃除機の周りを汚さない。
【発明を実施するための最良の形態】
【００２０】
以下、添付の図面に基づいて本発明の好適な実施形態を詳述する。
（実施例）
図１および図２に示したように、本発明に係る水掃除機能を備えた真空掃除機１は、本体１０とブラシ組立体２０を含む。
【００２１】
本体１０は、吸入力を発生させるモータ組立体（図示せず）、ブラシ組立体２０を介して吸込まれたゴミと水を格納するゴミ収集筒（図示せず）、水掃除のための水を格納する水タンク（図示せず）を含んでなる。さらに、本体１０の上部にはユーザが握って掃除作業を行うハンドル１１が設けられている。ハンドル１１は、延長管１２を通して本体１０と連結されている。本体１０の後面にはブラシ組立体２０と本体１０のゴミ収集筒を連結するホス１３および真空掃除機１の移動のための取っ手部１４が備えられている。
【００２２】
ハンドル１１には、モータ組立体を動作させる電源スイッチ１５と、一般掃除モードと水掃除モードのいずれのモードを選択するモードスイッチ１６と、エアーポンプ７２（図３参照）を動作させるポンプスイッチ１７とが設けられる。一般掃除モードは、モータ組立体のモータおよびブラシモータ６２（図３参照）に電源が供給され、エアーポンプ７２には電源が供給されない。従って、電源スイッチ１５がオンされれば、モータ組立体のモータとブラシモータ６２は回転する一方、エアーポンプ７２には電源が供給されないためポンプスイッチ１７をオンさせても水吐出ノズル７４から水が吐出されない。水掃除モードは、モータ組立体のモータとブラシモータ６２、およびエアーポンプ７２全部に電源が供給されるべく設定されている。従って、電源スイッチがオンされればモータ組立体のモータおよびブラシモータ６２が回転し、ポンプスイッチ１７がオンされればエアーポンプ７２が動作して水吐出ノズル７４から水が吐出される。
【００２３】
図３および図４に示したように、ブラシ組立体２０は、ブラシ胴体２１、吸入ダクト３０、前方および後方遮断部材４０、５０、ブラシユニット６０、水吐出ユニット７０、複数の輪８１，８２、および紫外線ランプ９０（図７参照）を有する。
【００２４】
ブラシ胴体２１は、その下面の前部に被掃除面からゴミおよび異物を吸込むことのできるゴミ吸入口２２が形成され、後述する他の構成要素を支持する。
【００２５】
吸入ダクト３０はブラシ胴体２１の上部に設けられ、一端はゴミ吸入口２２と連結されており、他端３１は本体１０のホス１３（図１参照）と連結される。従って、吸入ダクト３０は、ゴミ吸入口２２から吸込まれるゴミと水がホス１３を介して本体１０のゴミ収集筒に回収される移動経路をなす。
【００２６】
ブラシユニット６０は、ゴミ吸入口２２に回転自在に設けられるブラシ６１と、ブラシ６１を回転させるブラシモータ６２と、ブラシモータ６２の動力をブラシ６１へ伝達する動力伝達手段６３を含む。
【００２７】
ブラシ６１は、円筒状のブラシドラム６１ａとブラシ毛６１ｂからなる。ブラシドラム６１ａは、ゴミ吸入口２２の両端に設けられた軸受けのような回転支持要素６７により回転支持される。ブラシドラム６１ａの表面には複数のブラシ毛６１ｂが設けられる。複数のブラシ毛６１ｂは多様な方式で設置できるが、本実施の形態の場合は一定間隔を保って３列にブラシ毛６１ｂを配置した。それぞれのブラシ毛６１ｂの列は円弧形状をなす。さらに、ブラシ毛６１ｂの長さはブラシドラム６１ｂが回転する際、ブラシ毛６１ｂの先端が被掃除面を擦って通るよう形成することが好ましい。従って、ブラシ６１は水掃除時には被掃除面に取り付いた染みなどを擦りとって除去することができ、また、一般掃除の時には被掃除面のゴミなどがゴミ吸入口２２へ容易に吸込まれるよう援助する。
【００２８】
動力伝達手段６３は、ブラシモータ６２とブラシ６１にそれぞれ設けられた２つのプーリー６５，６４を連結するベルト６６から構成される。従って、ブラシモータ６２が回転すれば、２つのプーリー６４，６５とベルト６６により、ブラシモータ６２の駆動力がブラシ６１に伝わりブラシ６１が回転される。
【００２９】
前方遮断部材４０は、ブラシ胴体２１の下面にブラシ６１の前方に設けられ、ブラシ組立体２０前方のゴミがゴミ吸入口１１に吸込まれるゴミ吸入経路３（図７参照）を選択的に遮断するか開放する。前方遮断部材４０の一例が図５に示されている。同図に示したように、前方遮断部４０は遮断板４１、２つの回転軸４２、および２つの回転突起４３からなり、ゴムで形成される。
【００３０】
遮断板４１は、ブラシ組立体２０前方のゴミがゴミ吸入口２２に吸込まれる前方ゴミ吸入経路３を遮断し、板状に形成されている。なお、遮断板４１の高さは、遮断板４１が被掃除面２（図７参照）と垂直した場合、遮断板４１の先端４１ａがやや押さえられる程度に形成することが好ましい。従って、遮断板４１が被掃除面２へ垂直位置になると、遮断板４１前方のゴミはゴミ吸入口２２に吸込まれない。回転軸４２は、遮断板４１の両側に形成され、ブラシ組立体２０のブラシ胴体２１に形成されたヒンジ溝（図示せず）に挿入されて前方遮断部材４０が所定の角度回転できるよう行う。なお、回転軸４２は、耐久性のために遮断板４１を貫通するステンレス棒で形成される。回転突起４３は遮断板４１の一面に扇形状で形成され、扇形の円弧部４３ａは遮断板４１の先端４１ａから円弧に延長されている。なお、扇形の円弧部４３ａは回転軸４２から遮断板先端４１ａまでを半径とする。回転突起４３は、遮断板４１一面の両終端に１つずつ２個を形成してその間にゴミを通らせる。この時、回転突起４３の円弧角（θ）は、図８に示したように、回転突起４３の一側面４４が垂直に位置する場合、遮断板４１の先端４１ａがブラシ胴体２１の下面に近接して位置することが好ましい。従って、ブラシ組立体２０が遮断板４１の回転突起４３が突設された方向へと移動すれば、前方遮断部材４０は被掃除面２との摩擦によりブラシ組立体２０の移動方向の逆方向へ所定の角度回転される。すると、遮断板４１と両側の回転突起４３との間にゴミ吸入経路３が開放される。ブラシ組立体２０が逆方向に移動すれば、前方遮断部材４０は被掃除面２との摩擦により、遮断板４１が被掃除面２に垂直状態になってゴミ吸入経路３を遮断する（図９参照）。従って、前方遮断部材４０の回転突起４３がブラシ組立体２０に組みつけられる方向に従ってブラシ組立体２０がいずれかの方向に移動したとき、前方遮断部材２０はゴミ吸入経路３の開放あるいは遮断を行う。例えば、本発明の実施の形態のように回転突起４３がブラシ組立体２０の前方に向かって前方遮断部材４０が設けられた場合（図７参照）、ブラシ組立体２０が前進すれば前方のゴミ吸入経路３は開放され、ブラシ組立体２０が後進すれば前方のゴミ吸入経路３は遮断される。
【００３１】
後方遮断部材５０は、ブラシ胴体２１の下面にブラシ６１、即ち、ゴミ吸入口２２の後方に設けられ、ゴミ吸入口２２後方のゴミがゴミ吸入口２２に吸込まれるゴミ吸入経路４を選択的に遮断するか開放する。後方遮断部材５０の一例が図６に示されている。後方遮断部材５０は頭部５１と遮断部５２から構成される。頭部５１は、ブラシ組立体２０のブラシ胴体２１に形成された後方遮断部材の収納溝５７（図８参照）に固定される。遮断部５２の一面５３は平面であり、反対面５４は複数の突起５５が一定間隔で連続形成された突起面である。この時、突起面５４は三角状を有するラックギヤ状で形成することが好ましい。さらに、遮断部５２の高さはブラシ組立体２０が被掃除面２に位置する場合、遮断部５２の先端５２ａが被掃除面２にやや押される程度で形成される。すると、ブラシ組立体２０が前後に移動することにより後方遮断部材５０の先端５２ａが進行方向の逆方向に曲げた状態で被掃除面２と摩擦しながら移動される。従って、ブラシ組立体２０の進行方向によって平面５３あるいは突起面５４の先端部分が選択的に被掃除面２に押される。突起面５４が被掃除面２と接触すると、複数の突起５５との間の空間５６にゴミや水が吸込まれるため、ゴミ吸入口２２の後方のゴミ吸入経路４が開放される。従って、後方遮断部材５０の突起面５４がブラシ組立体２０に組立てられる方向に応じてブラシ組立体２０がいずれの方向に移動した時、後方遮断部材５０はゴミ吸入経路４の開放あるいは遮断を決める。例えば、本実施の形態のように、突起面５４がブラシ組立体２０の後方に向って後方遮断部材５０が設けられた場合（図７参照）、ブラシ組立体２０が後進すれば後方のゴミ吸入経路４は開放され、ブラシ組立体２０が前進すれば後方のゴミ吸入経路４は遮断される。
【００３２】
本実施の形態の場合には、ブラシ組立体２０が前進すれば、前方遮断部材４０は前方ゴミ吸入経路３を開放し、且つ後方遮断部材５０は後方ゴミ吸入経路４を遮断する。ブラシ組立体２０が後進すれば前方遮断部材４０は前方ゴミ吸入経路３を遮断し、且つ後方遮断部材５０は後方ゴミ吸入経路４を開放する。しかし、これは一例に過ぎず、ブラシ組立体２０が前進または後進する場合、前方および後方遮断部材４０，５０が前述と逆方向に動作することもできる。あるいは、ブラシ組立体２０が前進すると前方および後方遮断部材４０，５０はゴミ吸入経路３，４全てを開放し、後進するとゴミ吸入経路３，４全てを遮断するといった構成も行える。
【００３３】
さらに、本発明の一実施の形態における前方および後方遮断部材４０、５０はそれぞれ異なる形状を有するが、同一形状のものを使用してもよい。
【００３４】
水吐出ユニット７０は、水掃除の時に被掃除面２に水を吐き出すものであって、図３に示したように、水タンク（図示せず）、水供給ホス７１、エアーポンプ７２、水吐出ホス７３、水吐出ノズル７４から構成される。水タンクは、所定の水を格納し水吐出ノズル７４に水を供給するよう本体１０に設けられる。この時、水タンクは、水吐出ノズル７４より高い位置に設置することがよい。水供給ホス７１は水タンクとエアーポンプ７２とを連通させ、水タンクに格納された水をエアーポンプ７２に供給させる。
【００３５】
エアーポンプ７２は、水吐出ノズル７４から吐き出される水と空気とを混ぜる。空気の混じった水が水吐出ホス７３を介して外部に吐き出されば、水吐出が遮断された場合の水の表面張力により水吐出ホス７３に残っていた水は水吐出ノズル７４を介してブラシ組立体２０の外部に流れない。エアーポンプ７２は、電気モータにより回転され、カームの原理を用いて大気中の空気と水供給ホス７１から供給された水を混合／圧縮した後、水吐出ホス７３を介して排出する。なお、エアーポンプ７２の圧縮圧力は、ほぼ０.８〜１Ｋｇｆ／ｃｍ２である。さらに、ダイアフラム（ｄｉａｐｈｒａｇｍ）方式のエアーポンプ７２を使用することにより、水が逆流してもエアーポンプ７２に損傷を与えない。また、エアーポンプ７２は吐出される水量を電気的に制御できる。即ち、エアーポンプ７２に印加される電圧を調整することによって吐出される水の量を調整できる。なお、調整される水の吐出量はほぼ０〜８００ＣＣ／分である。エアーポンプ７２の水吐出量は手動でエアーポンプ７２に印加される電圧を調整できる吐出量制御部（図示せず）を設けることで調整できる。あるいは、吐出量制御部がブラシ胴体２１の進行方向に従ってエアーポンプ７２の水吐出量を相違に制御できるプログラムを吐出量制御部にて設定できる。そして、ブラシ胴体２１の下面にブラシ組立体２０の進行方向を検出できる方向センサー（図示せず）を設け、この方向センサーの信号によりエアーポンプ７２は水の吐出について設定することができる。係る形態のエアーポンプ７２は、ビデ、血圧計、水族館などでよく使われる。
【００３６】
水吐出ノズル７４は、ブラシ胴体２１の前面にブラシ組立体２０の前方に向って水が吐出されるよう設けられる。水吐出ノズル７４は１つ設けてもよいが、図３に示したように２つ設けることが好ましい。水吐出ホス７３は、空気の混じった水が２つの水吐出ノズル７４とエアーポンプ７２を連通してエアーポンプ７２を経由し水吐出ノズル７４から吐出されるよう行う。
【００３７】
輪８１、８２は、ブラシ胴体２１の裏側に設けられた１対の大型輪８１とブラシ胴体２１の下面に後方遮断部材５０の裏側に設けられた１対の小型輪８２のことである。
【００３８】
紫外線ランプ９０は、図４および図７に示したように、水掃除の完了された被掃除面２を消毒するため小型輪８２の裏側のブラシ胴体２１に設けられる。なお、紫外線ランプ９０の上側には紫外線ランプ９０から上側に放射された紫外線を最大下側に反射できるようにステンレスやアルミニウムから構成された反射板９３を設け、紫外線ランプ９０の下側には透明なテープロンからなっている保護窓９１を設ける。この保護窓９１は、プラスチックからなっている枠９２を射出するときに、紫外線の透過されるテープロンを一体に射出形成する方法で製造することが好ましい。
【００３９】
カバー２３には２つの水吐出ノズル７４が露出されるべく形成された２つの穴２４（図１参照）が設けられ、ブラシ胴体２１の上部に組立てられ、前述の構成要素が外部から見えないよう設ける。
【００４０】
以下、本発明に係る水掃除機能を有する真空掃除機１の作用について図１ないし図９に基づいて説明する。
【００４１】
先ず、本発明に係る真空掃除機１の水掃除を行う場合について説明する。
【００４２】
水掃除を行う場合、電源スイッチ１５をオンさせ、ハンドル１１に設けられたモードスイッチ１６を水掃除モードに切替える。それから、ポンプスイッチ１７をオンさせて２つの水吐出ノズル７４から水がブラシ組立体２０の前方に向って吐出されるようにする。ポンプスイッチ１７がオンされれば、エアーポンプ７２が動作する。エアーポンプ７２は水供給ホス７１を介して供給される水に大気から吸入された空気を混合し水吐出ホス７３に排出する。すると、２つの水吐出ノズル７４を介して空気の混った水が吐出される。なお、水吐出ホス７３には水と空気が交互に流れる状態となる。従って、エアーポンプ７２が動作するときには水が連続的に吐出されるが、エアーポンプ７２が停止すると水吐出ホス７３に存在する空気が水の流れを妨害し、水吐出ノズル７４とエアーポンプ７２との間に残留する水が水吐出ノズル７４から流れることを抑える。さらに、必要な場合には、エアーポンプ７２の吐出量を調整することで吐出される水の量を適切に調節できる。
【００４３】
ブラシ組立体２０前方の被掃除面２に水が吐出されると、ユーザはハンドル１１をもってブラシ組立体２０を前進および後進させる。すると、前方および後方遮断部材４０、５０、モータ組立体のモータ、およびブラシユニット６０のブラシモータ６２が動作され、ゴミと共に水を吸入しゴミ収集筒に収集する。
【００４４】
なお、前方および後方遮断部材４０、５０の動作について説明すると次の通りである。
【００４５】
ブラシ組立体２０が被掃除面２上にあるとき、前方および後方遮断部材４０、５０の先端４１ａ、５２ａはブラシ組立体２０の自重により押された状態である。この状態でブラシ組立体２０が前進すると、前方遮断部材４０は、回転軸４２を中心に回転突起４３が被掃除面２に接した状態を保ちながら逆時計回り（図８における矢印Ａ）に回転する。すると、前方遮断部材４０の回転量が増加するにつれ遮断板４１の先端４１ａと被掃除面２との間の間隔が次第に広がる。図８に示したように、回転突起４３の一側面４４が被掃除面２について垂直な状態であれば遮断板の先端４１ａが最大の高さに位置するので、ゴミ吸入口２２前方のゴミ吸入経路３は完全に開放される。さらに、ブラシ組立体２０が前進する時、後方遮断部材５０は遮断部５２の先端５２ａがブラシ組立体２０の後方へと曲がった状態になる。なお、遮断部５２の前面５３は平板であって、ゴミ吸入口２２後方のゴミ吸入経路４は遮断される。従って、ゴミ吸入口２２の裏側からゴミが吸込まれることが遮断される。このようにブラシ組立体２０が前進する場合、前方遮断部材４０により前方ゴミ吸入経路３が開放され、後方遮断部材４０により後方ゴミ吸入経路４が遮断されることから、本発明に係る真空掃除機１は空気と共にブラシ組立体２０の前方に吐出された水と水気のゴミを効率よく吸込むことができる。
【００４６】
ユーザがブラシ組立体２０を後進させると、前方遮断部材４０は回転軸４２を中心に回転突起４３が被掃除面２に接した状態を保ちながら時計回りに回転する（図９参照）。すると、前方遮断部材４０の回転量が増加するにつれ遮断板４１の先端４１ａが次第に下がりゴミ吸入経路３を遮断する。図９に示したように、遮断板４１が被掃除面２について垂直な状態であれば前方のゴミ吸入経路３は完全に遮断される。さらに、後方遮断部材５０は遮断部５２の先端５２ａがブラシ組立体２０の前方へと曲がった状態になる。なお、遮断部５２の後面５４は突起面であり、ゴミ吸入口２２後方は遮断部５２の突起面５４の複数突起５５との間の空間を介してゴミ吸入口２２と連通される。従って、後方ゴミ吸入経路４が開放された状態となる。このようにブラシ組立体２０が後進する場合、ブラシ組立体２０を前進させた後にも被掃除面２に残留している水気を主に吸込んで除去する。
【００４７】
さらに、電源スイッチ１５がオンされれば、ブラシモータ６２も共に回転される。ブラシモータ６２が回転されれば、プーリー６４，６５とベルト６６（図３参照）を介してブラシモータ６２の回転力の受けたブラシ６１も共に回転される。ブラシ６１が回転すれば、ブラシ毛６１ｂが被掃除面２を擦りながら回転するので、水気のある被掃除面２に取り付いた染みなどを効率よく除去できる。また、ブラシ毛６１ｂは、ブラシ６１の回転方向に向って凹んだ円弧状（図４参照）に設けられているため、被掃除面２から取除かれたゴミと水をゴミ吸入口２２へ効果的に押し入れることができる。
【００４８】
以上、前述した通りに、ブラシ組立体２０を前進あるいは後進させることによって前方遮断部材４０および後方遮断部材５０が選択的にゴミ吸入経路３，４を開放あるいは遮断し、ブラシ６１が被掃除面２を擦りながら回転することによって被掃除面２に存在するゴミと水が効率よく取除かれることについて説明した。
【００４９】
次に、本発明に係るシンク掃除機１の一般掃除を行う場合について説明する。
【００５０】
ユーザはハンドル１１に設けられたモードスイッチ１６を一般掃除モードに切替える。それから、電源スイッチ１５を押すと、本体１０に設けられたモータ組立体が動作し吸入力が発生する。すると、吸入力によりブラシ組立体２０のゴミ吸入口２２から被掃除面２のゴミが吸込まれゴミ収集筒に収納される。この際、ブラシモータ６２も動作しゴミ吸入口２２に設けられたブラシ６１を回転させる。即ち、一般の真空掃除機と同様に被掃除面２のゴミを吸込むことで掃除を行う。但し、ブラシ組立体２０を前進あるいは後進させることによって前方および後方遮断部材４０、５０が選択的に動作されることが違うところである。即ち、ブラシ組立体２０が前進すれば、前方遮断部材４０が所定の角度回転して前方ゴミ吸入経路３を開放し、後方遮断部材５０の先端５２ａがゴミ吸入口２２の反対側に曲がった状態となって後方ゴミ吸入経路４を遮断する。一方、ブラシ組立体２０が後進すれば、前方遮断部材４０が逆方向に所定の角度回転し前方ゴミ吸入経路３を遮断し、後方遮断部材５０の先端５２ａはゴミ吸入クリ２２側に曲がった状態で後方ゴミ吸入経路４を開放する。
【００５１】
さらに、ブラシ胴体２１の下面に紫外線ランプ９０を設ける場合、紫外線が被掃除面２を照射するため、ブラシ組立体２０を移動させることにより被掃除面２は殺菌される。
【００５２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００５３】
本発明に係る水掃除機能を有する真空掃除機は、真空掃除機の生産、販売、使用といった産業分野にて使用される。
【図面の簡単な説明】
【００５４】
【図１】本発明に係る水掃除機能を備えた真空掃除機の一実施の形態を示した前面斜視図である。
【図２】図１における水掃除機機能を備えた真空掃除機の後面斜視図である。
【図３】図１における蓋を分解した水掃除機機能を備えた真空掃除機のブラシ組立体を示した斜視図である。
【図４】図３における水掃除機能を備えた真空掃除機のブラシ組立体の底面斜視図である。
【図５】図１における水掃除機能を備えた真空掃除機の前方遮断部材を示した斜視図である。
【図６】図１における水掃除機能を備えた真空掃除機の後方遮断部材を示した斜視図である。
【図７】図１における水掃除機能を備えた真空掃除機のブラシ組立体の断面図である。
【図８】図１における水掃除機能を備えた真空掃除機を前進させるときに、前方および後方遮断部材の状態を示した部分断面図である。
【図９】図１における水掃除機能を備えた真空掃除機を後進させるときに、前方および後方遮断部材の状態を示した部分断面図である。
【符号の説明】
【００５５】
１      水掃除機機能を備えた真空掃除機
２      被掃除面
３，４  ゴミ吸入経路
１０    本体
１１    ハンドル
１６    モードスイッチ
２０    ブラシ組立体
２１    ブラシ胴体
２２    ゴミ吸入口
２３    カバー
３０    吸入ダクト
４０    前方遮断部材
４１    遮断板
４３    回転突起
５０    後方遮断部材
５２    遮断部
６０    ブラシユニット
６１    ブラシ
６２    ブラシモータ
７０    水吐出ユニット
７２    エアーポンプ
７４    水吐出ノズル
８１    大型輪
９０    紫外線ランプ
【図１】
2007000602.tif 000003
【図２】
2007000602.tif 000004
【図３】
2007000602.tif 000005
【図４】
2007000602.tif 000006
【図５】
2007000602.tif 000007
【図６】
2007000602.tif 000008
【図７】
2007000602.tif 000009
【図８】
2007000602.tif 000010
【図９】
2007000602.tif 000011